(57)【要約】【課題】構造が簡単で、取付けが簡単に行なえる吊りボルト振れ止め装置を提供する。【解決手段】振れ止め用筋違い２の上端部を筋違い上端部取付金具３によって、隣り合う一方の吊りボルト１の上端部に取り付けるようにした吊りボルト振れ止め装置において、筋違い上端部取付金具３は、主板部７の下端側に正面視逆ハの字状に突出する一対の斜板部８，９を設け、主板部７には一方の斜板部８に近い側から吊りボルト１を抱持する吊りボルト抱持片１０を突設してなる金具本体５と、振れ止め用筋違い２の上端部に基端部６ｏが取り付けられ、先端部６ａが金具本体５の斜板部８，９のネジ孔８ａ，９ａに螺入される取付ボルトとからなり、一方の斜板部８のネジ孔８ａに螺入した取付ボルト６の先端部６ａは、吊りボルト１を抱持した吊りボルト抱持片１０に当接し、他方の斜板部９のネジ孔９ａに螺入した取付ボルト６の先端部６ａは吊りボルト１のネジ部に食い込む。【選択図】図２
2008169607.tif 000002
【特許請求の範囲】
【請求項１】
天井部より垂下された吊りボルトの隣り合うものどうし間に振れ止め用筋違いを入れ、筋違いの上端部を筋違い上端部取付金具によって隣り合う一方の吊りボルトの上端部に取り付け、筋違いの下端部を他方の吊りボルトの下端部に取り付けるようにした吊りボルト振れ止め装置において、
筋違い上端部取付金具は、主板部の下端側に主板部に対し垂直で正面視逆ハの字状に突出する一対のネジ孔付き斜板部を設け、主板部の中央部片側には一方の斜板部に近い側から吊りボルトを抱持する吊りボルト抱持片を突設してなる金具本体と、振れ止め用筋違いの上端部に基端部が取り付けられ且つ先端部が金具本体の斜板部のネジ孔に螺入される取付ボルトとからなるもので、金具本体の一方の斜板部のネジ孔に螺入した取付ボルトの先端部は、吊りボルトを抱持した吊りボルト抱持片に当接し、他方の斜板部のネジ孔に螺入した取付ボルトの先端部は吊りボルトのネジ部に食い込むようになっている吊りボルト振れ止め装置。
【請求項２】
金具本体の吊りボルト抱持片に開口部を設け、金具本体の一方の斜板部のネジ孔に螺入した取付ボルトの先端部を、その開口部から通して吊りボルトのネジ部に食い込ませるようにした請求項１に記載の吊りボルト振れ止め装置。
【請求項３】
金具本体の吊りボルト抱持片を横断面略Ｌ字状又は円弧状に形成してなる請求項１又は２に記載の吊りボルト振れ止め装置。
【請求項４】
金具本体の吊りボルト抱持片は主板部の一部による切り起こし片からなる請求項１〜３の何れかに記載の吊りボルト振れ止め装置。
【発明の詳細な説明】
【技術分野】
【０００１】
本発明は、建物躯体の天井部より垂下された天井材吊持用の吊りボルトの隣り合うものどうし間に振れ止め用筋違いを入れるようにした吊りボルト振れ止め装置に関する。
【背景技術】
【０００２】
地震発生時における天井材の損壊・落下を防止するために、建物躯体の天井部より垂下された天井材吊持用の吊りボルトの隣り合うものどうし間に振れ止め用筋違いを入れるようにした吊りボルト振れ止め装置が種々提案されている。従来の吊りボルト振れ止め装置として、特許公報等の公知文献を具体的に挙げることはできないが、従来の吊りボルト振れ止め装置は、部品点数が多く、構造が複雑で、製作コストが高くつく上に、振れ止め用筋違いを吊りボルトに取り付けるにあたって、筋違いの上端部は高位置での取付作業となるため、その取付作業に手間がかかる、といった問題があった。
【発明の開示】
【発明が解決しようとする課題】
【０００３】
本発明は、構造が簡単で部品点数が少なく、安価に製作できると共に、吊りボルトへの取付けが簡単容易に行なえるようにした吊りボルト振れ止め装置を提供することを目的とする。
【課題を解決するための手段】
【０００４】
上記課題を解決するための手段を、後述する実施形態の参照符号を付して説明すると、請求項１に係る発明は、天井部Ｓより垂下された吊りボルト１の隣り合うものどうし間に振れ止め用筋違い２を入れ、筋違い２の上端部を筋違い上端部取付金具３によって隣り合う一方の吊りボルト１の上端部に取り付け、筋違い２の下端部を他方の吊りボルト１の下端部に取り付けるようにした吊りボルト振れ止め装置において、
筋違い上端部取付金具３は、主板部７の下端側に主板部７に対し垂直で正面視逆ハの字状に突出する一対のネジ孔８ａ，９ａ付き斜板部８，９を設け、主板部７の中央部片側には一方の斜板部８に近い側から吊りボルト１を抱持する吊りボルト抱持片１０を突設してなる金具本体５と、振れ止め用筋違い２の上端部に基端部６ｏが取り付けられ且つ先端部６ａが金具本体５の斜板部８，９のネジ孔８ａ，９ａに螺入される取付ボルトとからなるもので、金具本体５の一方の斜板部８のネジ孔８ａに螺入した取付ボルト６の先端部６ａは、吊りボルト１を抱持した吊りボルト抱持片１０に当接し、他方の斜板部９のネジ孔９ａに螺入した取付ボルト６の先端部６ａは吊りボルト１のネジ部に食い込むようになっていることを特徴とする。
【０００５】
請求項２は、請求項１に記載の吊りボルト振れ止め装置において、金具本体５の吊りボルト抱持片１０に開口部１１を設け、金具本体５の一方の斜板部８のネジ孔８ａに螺入した取付ボルト６の先端部６ａを、その開口部１１から通して吊りボルト１のネジ部に食い込ませるようにしたことを特徴とする。
【０００６】
請求項３は、請求項１又は２に記載の吊りボルト振れ止め装置において、金具本体５の吊りボルト抱持片１０を横断面略Ｌ字状又は円弧状に形成してなることを特徴とする。
【０００７】
請求項４は、請求項１〜３の何れかに記載の吊りボルト振れ止め装置において、金具本体５の吊りボルト抱持片１０は主板部７の一部による切り起こし片からなることを特徴とする。
【発明の効果】
【０００８】
上記解決手段による発明の効果を、後述する実施形態の参照符号を付して説明すると、請求項１に係る発明によれば、筋違い上端部取付金具３は、主板部７の下端側に主板部７に対し垂直で正面視逆ハの字状に突出する一対の斜板部８，９を設け、主板部７には一方の斜板部８に近い側から吊りボルト１を抱持する吊りボルト抱持片１０を突設してなる金具本体５と、振れ止め用筋違い２の上端部に基端部６ｏが取り付けられ、先端部６ａが金具本体５の斜板部８，９のネジ孔８ａ，９ａに螺入される取付ボルトとからなるもので、金具本体５の一方の斜板部８のネジ孔８ａに螺入した取付ボルト６の先端部６ａは吊りボルト１を抱持した吊りボルト抱持片１０に当接し、他方の斜板部９のネジ孔９ａに螺入した取付ボルト６の先端部６ａは吊りボルト１のネジ部に食い込むようになっているから、吊りボルト１を挟んで両側の振れ止め用筋違い２，２の上端部を吊りボルト１の上端部に取り付ける場合は、振れ止め用筋違い２の上端部に取り付けた取付ボルト６を金具本体５の斜板部８，９にねじ込んだ状態で、金具本体５を吊りボルト１の下端部に吊りボルト抱持片１０によって保持させ、この状態で、両方の振れ止め用筋違い２，２を手で持って金具本体５を吊りボルト１に沿って上方へスライドさせ、吊りボルト１の上端所要位置で各振れ止め用筋違い２を取付ボルト６の軸線周りに回転させて取付ボルト６をねじ込むことにより、両取付ボルト６，６と金具本体５と吊りボルト１とを一体化させて、両側の振れ止め用筋違い２，２の上端部を夫々吊りボルト１の上端所要部に簡単容易に取り付けることができる。
【０００９】
この筋違い上端部取付金具３の使用において、吊りボルト１の片方のみに振れ止め用筋違い２が配置される場合は、金具本体５の両斜板部８，９のうち片方の斜板部９のネジ孔９ａにのみ取付ボルト６をねじ込むようにすればよい。
【００１０】
また、筋違い上端部取付金具３は、金具本体５と、これの斜板部８，９のネジ孔８ａ，９ａに螺入される取付ボルトとからなるもので、構造が簡単で、部品点数が少ないから、製作が容易で安価に提供することができると共に、取り扱いが簡単で使い易く、天井部が高い場合でもその取付作業を容易迅速に行なう事ができる。
【００１１】
請求項２に係る発明によれば、金具本体５の吊りボルト抱持片１０に開口部１１を設け、金具本体５の一方の斜板部８のネジ孔８ａに螺入した取付ボルト６の先端部６ａを、その開口部１１から通して吊りボルト１のネジ部に食い込ませるようにしたから、両取付ボルト６，６と金具本体５と吊りボルト１との一体化がより強固となる。
【００１２】
請求項３に係る発明によれば、金具本体５の吊りボルト抱持片１０を横断面略Ｌ字状又は円弧状に形成しているから、金具本体５を吊りボルト１に対し確実に保持させることができる。
【００１３】
請求項４に係る発明によれば、金具本体５の吊りボルト抱持片１０が主板部７の一部による切り起こし片からなるため、金具本体５の製作が容易で、安価に提供できる。
【発明を実施するための最良の形態】
【００１４】
以下に本発明の好適な実施形態を図面にもとづいて説明すると、図１は建物躯体の天井スラブＳより垂下された吊りボルト１…の互いに隣り合う吊りボルト１，１どうし間に、振れ止め用筋違い２を入れた状態を示す正面図であり、図２は図１の矢印Ｘで囲まれる部分の拡大斜視図、図３は図１の矢印Ｙで囲まれる部分の拡大分解斜視図である。各吊りボルト１の上端部は、天井スラブ（天井部）Ｓに埋設されたインサート（図示せず）に螺着され、そして各吊りボルト１の下端部には、ハンガー２１が取り付けられ、このハンガー２１により野縁受け２２が支持され、この野縁受け２２に取り付けられた野縁２３を介して天井材２４が吊持される。
【００１５】
この実施形態の吊りボルト振れ止め装置は、図１に示すように、天井スラブ（天井部）Ｓより垂下された吊りボルト１…の隣り合う吊りボルト１，１間に振れ止め用筋違い２を入れ、この振れ止め用筋違い２の上端部を筋違い上端部取付金具３によって隣り合う一方の吊りボルト１の上端部に取り付け、振れ止め用筋違い２の下端部を筋違い下端部取付金具４によって他方の吊りボルト１の下端部に取り付けるようにしたものである。
【００１６】
筋違い上端部取付金具３は、図２、図４及び図５から分かるように、主板部７の下端側に当該主板部７に対して垂直に突出すると共に正面視逆ハの字状に突出する一対の斜板部８，９を設け、主板部７の中央部片側には一方の斜板部８に近い側から吊りボルト１を抱持する横断面略Ｌ字状の吊りボルト抱持片１０を突設してなる金具本体５と、振れ止め用筋違い２の上端部に基端部６ｏが取り付けられ且つ先端部６ａが金具本体５の斜板部８，９のネジ孔８ａ，９ａに螺入される取付ボルト６と、から構成される。
【００１７】
上記筋違い上端部取付金具３の構造についてさらに詳しく説明すれば、金具本体５の主板部７は、図５に示すように、野球のホームプレートによく似た形状に形成されていて、水平に配置される上辺側の端縁イに対し下辺側の２つの斜辺ロ，ロが所定の角度α（この実施形態では４５度）を成すように形成され、そして両斜辺ロ，ロから斜板部８，９が夫々主板部７に対し垂直に突出し且つ正面から見て逆ハの字状に突出するように形成され、両斜板部８，９には夫々取付ボルト６の先端部６ａが螺入するネジ孔８ａ，９ａが設けてある。取付ボルト６は、基端部６ｏが図２に示すような扁平状の取付部を形成し、先端部６ａがボルト本体部（ネジ部）を形成している。
【００１８】
この実施形態において、主板部７の上辺側端縁イに対する各下辺側斜辺ロの傾斜角度α（＝４５度）は、天井スラブＳより垂下された隣り合う吊りボルト１，１間に振れ止め用の筋違い２を吊りボルト１に対して４５度の傾斜角度で配置する場合であって、振れ止め用筋違い２を吊りボルト１に対し例えば３０度の角度で配置する場合には、上記角度αは３０度に設定される。何れにしても、斜板部８，９は、吊りボルト１に対し所定角度（例えば３０度や４５度等）に配置される振れ止め用筋違い２に取り付ける取付ボルト６がこの斜板部８，９に対し直交するような傾斜角度に形成される。
【００１９】
金具本体５の吊りボルト抱持片１０は、主板部７に対し直角に突出すると共に吊りボルト１と平行に延びる本体部１０ａと、この本体部１０ａの先端から主板部７と平行に突出する突片部１０ｂとで横断面Ｌ字状に形成され、本体部１０ａには、取付ボルト６の先端部６ａの外径より径大の開口部１１が開口形成されている。この開口部１１は、図６から分かるように、金具本体５の一方の斜板部８のネジ孔８ａに螺入した取付ボルト６の先端部６ａの端縁を、この開口部１１から通して吊りボルト１のネジ部に食い込ませるようにするためのものである。
【００２０】
この吊りボルト抱持片１０は、一方の斜板部８に近い側から吊りボルト１を抱持して金具本体５を吊りボルト１に保持させるためのものであるから、この実施形態に示すような横断面略Ｌ字状に限らず、横断面円弧状に形成してもよい。このように吊りボルト抱持片１０を横断面略Ｌ字状又は円弧状に形成しれば、金具本体５を吊りボルト１に対してより確実に保持させることができる。
【００２１】
上記のように構成される金具本体５は、鉄板等の金属板をプレス加工することによって製作される。この金具本体５の製作にあたり、吊りボルト抱持片１０は、主板部７の一部を切り起こすことによって形成されるものである。即ち、主板部７の所定位置にコ字状の切り込みを入れて、その切り込み部分を起こした後、その切り起こし片を実施形態に図示のようにＬ字状に折曲することによって吊りボルト抱持片１０を形成する。このように、金具本体５をプレス加工によって形成すると共に、吊りボルト抱持片１０を切り起こし片とすることにより、金具本体５を安価に製作することができる。尚、図２、図４〜図６において、７ｏは主板部７の一部が切り起こされて形成された開口部を示す。
【００２２】
振れ止め用筋違い２の下端部を吊りボルト１の下端部に取り付ける筋違い下端部取付金具４は、図３に示すように、ボルト嵌合溝１２を有する水平片部１３ａの両端部から斜片部１３ｂ，１３ｂが上り傾斜状に延設された取付金具１３からなるもので、水平片部１３ａのボルト嵌合溝１２を吊りボルト１に嵌め込んで、吊りボルト１の下端部に螺合されるハンガー取付用ナット１４とハンガー２１とによって水平片部１３ａを挟着固定し、斜片部１３ｂを振れ止め用筋交い２の下端部に固着するようになっている。この取付金具１３の斜片部１３ｂは、水平片部１３ａの両端部から延びた斜片部本体１３ｂ1 と、各斜片部本体１３ｂ1 の一側縁部から直角に突設された筋交い取付部片１３ｂ2 とからなるもので、筋交い取付部片１３ｂ2 にビス挿通孔１５が設けられている。
【００２３】
ハンガー２１は、図３に示すように、鉄板等の金属板をプレス加工することにより形成された周知構造のもので、ボルト挿通孔１７を有する水平支持壁部２１ａと、この水平支持壁部２１ａの一端部から下方へ延設されて野縁２３を受持し得るように略Ｕ字状に形成された野縁受け２１ｂとからなり、吊りボルト１への取付けにあたっては、水平支持壁部２１ａのボルト挿通孔１７を吊りボルト１に通し、ハンガー取付用の一対のナット１４，１４により水平支持壁部２１ａを挟み付けることで、吊りボルト１に取り付けられる。
【００２４】
振れ止め用筋交い２は、好ましくは図１〜図３に示すようなチャンネル材（溝形鋼材）からなるが、アングル材（Ｌ形鋼材）や帯板材等を使用してもよい。
【００２５】
次に、上記したような構成よりなる吊りボルト振れ止め装置の取付施工について説明する。
【００２６】
先ず、振れ止め用筋違い２の上端部を吊りボルト１の上端部に取り付けるにあたって、振れ止め用筋違い２としてのチャンネル材の底壁部２ａの一端部に取付ボルト６の基端部（扁平状取付部）６ｏをビス１６で取り付け、こうして振れ止め用筋違い２に取り付けた取付ボルト６の先端部６ａを金具本体５の両斜板部８，９のネジ孔８ａ，９ａに夫々ねじ込む。この時、取付ボルト６の先端部６ａは、図４の仮想線図示のように浅くねじ込んでおく。
【００２７】
上記のように振れ止め用筋違い２の一端部（上端部）に取り付けた取付ボルト６を金具本体５の斜板部８，９に浅くねじ込んだ状態で、この金具本体５を吊りボルト１の下端部に吊りボルト抱持片１０によって保持させる。この際、金具本体５を左右適宜に傾転させながら吊りボルト抱持片１０と片方の斜板部９と吊りボルト抱持片１０との間から吊りボルト１に嵌め込のようにして、金具本体５を吊りボルト１に保持させた状態とする。こうして金具本体５を吊りボルト抱持片１０を介して吊りボルト１に保持させた状態で、両方の振れ止め用筋違い２，２を手で持って金具本体５を図４の仮想線図示のように吊りボルト１に沿って上方へスライドさせ、吊りボルト１の上端所要位置で各振れ止め用筋違い２を取付ボルト６の軸線周りに回転させて取付ボルト６をねじ込むことにより、図４の実線図示のように両方の取付ボルト６，６と金具本体５と吊りボルト１とを一体化する。
【００２８】
この時、一方の斜板部８のネジ孔８ａにねじ込んだ取付ボルト６の先端部６ａは、吊りボルト抱持片１０の開口部１１を貫通して吊りボルト１のネジ部に食い込ませ、また他方の斜板部９のネジ孔９ａにねじ込んだ取付ボルト６の先端部６ａは、そのまま先端縁を吊りボルト１のネジ部に食い込ませる。この時の状態は、図６に示される通り、金具本体５の主板部７が吊りボルト１の後側面部に押し付けられると共に、一方の斜板部８側の取付ボルト６の先端縁と他方の斜板部９側の取付ボルト６の先端縁とが夫々吊りボルト１の前側面部寄りから吊りボルト１に食い込んでいるから、金具本体５が吊りボルト１に強固に引き付けられると共に、両方の取付ボルト６が金具本体５及び吊りボルト１に強く係止されることになって、両方の取付ボルト６，６と金具本体５と吊りボルト１とが一体化し、それにより吊りボルト１を挟んでその左右両側の振れ止め用筋違い２，２の上端部を吊りボルト１の上端所要部に確実強固に取り付けることができる。
【００２９】
尚、この実施形態では、金具本体５の吊りボルト抱持片１０に開口部１１を設けて、取付ボルト６の先端部６ａを開口部１１に通して、先端縁を吊りボルト１に食い込ませるようにしているが、吊りボルト抱持片１０に開口部１１を設けない場合は、この取付ボルト６の先端縁を吊りボルト抱持片１０の外側面部に押し付けることにより、吊りボルト抱持片１０の内側面が吊りボルト１に押し付けられることになって、この場合も金具本体５を吊りボルト１に十分引き付けて固定させることができる。
【００３０】
上記のように吊りボルト１を挟んでその左右両側の振れ止め用筋違い２，２の上端部を、筋違い上端部取付金具３である取付ボルト６，６と金具本体５を介して吊りボルト１の上端部に取り付けた後、両振れ止め用筋違い２，２の夫々下端部を、この吊りボルト１と隣り合う他の吊りボルト１の下端部に夫々筋違い下端部取付金具４を介して取り付ける。この筋交い２の下端部の取付けにあたっては、図３に示すように、吊りボルト１の下端部で水平支持壁部２１ａを挟着している上下ナット１４，１４の上側のナット１４を緩め、上側へ引き上げて下側のナット１４の間に図示のような適当な隙間を設ける。しかして、下端部取付手段４である取付金具１３の水平片部１３ａのボルト嵌合溝１２を、上下ナット１４，１５の隙間から吊りボルト１に嵌合させ、上側のナット１４を締付方向に回すことにより、水平片部１３ａを上下両ナット１４，１４で挟着して、取付金具１３を吊りボルト１の下端部に取付け固定する。
【００３１】
こうして取付金具１３を吊りボルト１の下端部に取り付けた後に、この取付金具１３の一方の斜片部１３ｂに振れ止め用筋違い２の下端部を連結する。この連結にあたっては、振れ止め用筋違い２の底壁部２ａの内面を、図３に示すような状態から斜片部１３ｂの筋違い取付部片１３ｂ2 に当て付け、この状態でタッピングタイプ又はドリルタイプのビス１６を筋交い取付部片１３ｂ2 のビス挿通孔１５より筋違い２の底壁部２ａにねじ込むようにすればよい。
【００３２】
これによって、吊りボルト１を挟んでその左右両振れ止め用筋違い２，２の上端部を、夫々この吊りボルト１の上端部に取り付けると共に、両振れ止め用筋違い２，２の下端部を夫々他の吊りボルト１，１の下端部に夫々取り付け、以降同様にして全ての振れ止め用筋違い２の上端部を所定の吊りボルト１の上端部に取り付け、その筋違いの下端部を他の吊りボルト１の下端部に取り付けることができる。
【００３３】
この実施形態では、振れ止め用筋違い２の下端部を図３に示すような筋違い下端部取付金具４によって吊りボルト１の下端部に取り付けるようにしたが、振れ止め用筋違い２の下端部の取付手段については図示のような筋違い下端部取付金具４に限るものではなく、それ以外の他の種々の取付手段によって取り付けることができる。
【００３４】
この発明に係る吊りボルト振れ止め装置の筋違い上端部取付金具３は、両斜板部８，９のうち片方の斜板部９のネジ孔９ａにのみ取付ボルト６をねじ込むようにしてもよい。図１の左端に示す筋違い上端部取付金具３では、吊りボルト１の右側に配置される振れ止め用筋違い２の上端部に取り付けた取付ボルト６を片方の斜板部９に螺合して、その筋違い２の上端部を吊りボルト１の上端部に取り付けた状態を示す。
【図面の簡単な説明】
【００３５】
【図１】建物躯体の天井スラブより垂下された吊りボルトの互いに隣り合う吊りボルトどうし間に振れ止め用筋違いを入れた状態を示す正面図である。
【図２】図１の矢印Ｘで囲まれる部分の拡大斜視図である。
【図３】図１の矢印Ｙで囲まれる部分の拡大分解斜視図である。
【図４】筋違い上端部取付金具を使用して振れ止め用筋違いの上端部を吊りボルトの上端部に取り付ける状態を示す正面図である。
【図５】金具本体を示す斜視図である。
【図６】図４のＺ−Ｚ線拡大斜視図である。
【符号の説明】
【００３６】
Ｓ            天井スラブ（天井部）
１            吊りボルト
２            振れ止め用筋違い
３            筋違い上端部取付金具
５            金具本体
６            取付ボルト
６ｏ          取付ボルトの基端部
６ａ          取付ボルトの先端部
７            主板部
８，９        斜板部
８ａ，９ａ    斜板部のネジ孔
１０          吊りボルト抱持片
【図１】
2008169607.tif 000003
【図２】
2008169607.tif 000004
【図３】
2008169607.tif 000005
【図４】
2008169607.tif 000006
【図５】
2008169607.tif 000007
【図６】
2008169607.tif 000008